【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
ピクチャを構成するブロック単位で符号化されたブロック符号列を含む符号列ストリームを復号して得られたピクチャをフィルタリングする画像復号装置であって、
前記ピクチャが、前記ブロック以上の大きさの複数のタイルに分割された分割領域の情報を、前記符号列ストリームのピクチャ特性を示すピクチャパラメータセットから取得する領域情報取得部と、
復号対象となるブロックのフィルタパラメータを前記復号対象となるブロックに上辺方向に隣接する復号済みのブロックから取得するか否かを示す取得フラグを、前記符号列ストリームから取得し、前記取得フラグが取得する旨を示す場合、前記フィルタパラメータを前記上辺方向に隣接する復号済みのブロックから取得し、前記取得フラグが取得しない旨を示す場合、前記フィルタパラメータに関する情報を前記符号列ストリームから取得するフィルタパラメータ取得部と、
前記ブロック符号列を復号して前記復号対象となるブロックの復号画像データを取得する画像データ復号部と、
前記復号画像データを前記フィルタパラメータに基づいてフィルタリングするフィルタリング部とを備え、
前記フィルタパラメータ取得部は、前記復号対象となるブロックが上辺方向にタイル境界に接するか否かを検査し、前記復号対象となるブロックが上辺方向にタイル境界に接する場合、前記取得フラグを前記符号列ストリームから取得しないことを特徴とする画像復号装置。
【請求項２】
ピクチャを構成するブロック単位で符号化されたブロック符号列を含む符号列ストリームを復号して得られたピクチャをフィルタリングする画像復号方法であって、
前記ピクチャが、前記ブロック以上の大きさの複数のタイルに分割された分割領域の情報を、前記符号列ストリームのピクチャ特性を示すピクチャパラメータセットから取得する領域情報取得ステップと、
復号対象となるブロックのフィルタパラメータを前記復号対象となるブロックに上辺方向に隣接する復号済みのブロックから取得するか否かを示す取得フラグを、前記符号列ストリームから取得し、前記取得フラグが取得する旨を示す場合、前記フィルタパラメータを前記上辺方向に隣接する復号済みのブロックから取得し、前記取得フラグが取得しない旨を示す場合、前記フィルタパラメータに関する情報を前記符号列ストリームから取得するフィルタパラメータ取得ステップと、
前記ブロック符号列を復号して前記復号対象となるブロックの復号画像データを取得する画像データ復号ステップと、
前記復号画像データを前記フィルタパラメータに基づいてフィルタリングするフィルタリングステップとを備え、
前記フィルタパラメータ取得ステップは、前記復号対象となるブロックが上辺方向にタイル境界に接するか否かを検査し、前記復号対象となるブロックが上辺方向にタイル境界に接する場合、前記取得フラグを前記符号列ストリームから取得しないことを特徴とする画像復号方法。
【請求項３】
ピクチャを構成するブロック単位で符号化されたブロック符号列を含む符号列ストリームを復号して得られたピクチャをフィルタリングする画像復号プログラムであって、
前記ピクチャが、前記ブロック以上の大きさの複数のタイルに分割された分割領域の情報を、前記符号列ストリームのピクチャ特性を示すピクチャパラメータセットから取得する領域情報取得ステップと、
復号対象となるブロックのフィルタパラメータを前記復号対象となるブロックに上辺方向に隣接する復号済みのブロックから取得するか否かを示す取得フラグを、前記符号列ストリームから取得し、前記取得フラグが取得する旨を示す場合、前記フィルタパラメータを前記上辺方向に隣接する復号済みのブロックから取得し、前記取得フラグが取得しない旨を示す場合、前記フィルタパラメータに関する情報を前記符号列ストリームから取得するフィルタパラメータ取得ステップと、
前記ブロック符号列を復号して前記復号対象となるブロックの復号画像データを取得する画像データ復号ステップと、
前記復号画像データを前記フィルタパラメータに基づいてフィルタリングするフィルタリングステップとをコンピュータに実行させ、
前記フィルタパラメータ取得ステップは、前記復号対象となるブロックが上辺方向にタイル境界に接するか否かを検査し、前記復号対象となるブロックが上辺方向にタイル境界に接する場合、前記取得フラグを前記符号列ストリームから取得しないことを特徴とする画像復号プログラム。
【請求項４】
画像が符号化された符号列ストリームを受信して復号する受信装置であって、
ピクチャを構成するブロック単位で符号化されたブロック符号列を含む符号列ストリームがパケット化された符号化データを受信する受信部と、
受信された前記符号化データをパケット処理して元の符号列ストリームを復元する復元部と、
前記ピクチャが、前記ブロック以上の大きさの複数のタイルに分割された分割領域の情報を、前記元の符号化ストリームのピクチャ特性を示すピクチャパラメータセットから取得する領域情報取得部と、
復号対象となるブロックのフィルタパラメータを前記復号対象となるブロックに上辺方向に隣接する復号済みのブロックから取得するか否かを示す取得フラグを、前記元の符号化ストリームから取得し、前記取得フラグが取得する旨を示す場合、前記フィルタパラメータを前記上辺方向に隣接する復号済みのブロックから取得し、前記取得フラグが取得しない旨を示す場合、前記フィルタパラメータに関する情報を前記元の符号化ストリームから取得するフィルタパラメータ取得部と、
前記ブロック符号列を復号して前記復号対象となるブロックの復号画像データを取得する画像データ復号部と、
前記復号画像データを前記フィルタパラメータに基づいてフィルタリングするフィルタリング部とを備え、
前記フィルタパラメータ取得部は、前記復号対象となるブロックが上辺方向にタイル境界に接するか否かを検査し、前記復号対象となるブロックが上辺方向にタイル境界に接する場合、前記取得フラグを前記元の符号化ストリームから取得しないことを特徴とする受信装置。
【請求項５】
画像が符号化された符号列ストリームを受信して復号する受信方法であって、
ピクチャを構成するブロック単位で符号化されたブロック符号列を含む符号列ストリームがパケット化された符号化データを受信する受信ステップと、
受信された前記符号化データをパケット処理して元の符号列ストリームを復元する復元ステップと、
前記ピクチャが、前記ブロック以上の大きさの複数のタイルに分割された分割領域の情報を、前記元の符号化ストリームのピクチャ特性を示すピクチャパラメータセットから取得する領域情報取得ステップと、
復号対象となるブロックのフィルタパラメータを前記復号対象となるブロックに上辺方向に隣接する復号済みのブロックから取得するか否かを示す取得フラグを、前記元の符号化ストリームから取得し、前記取得フラグが取得する旨を示す場合、前記フィルタパラメータを前記上辺方向に隣接する復号済みのブロックから取得し、前記取得フラグが取得しない旨を示す場合、前記フィルタパラメータに関する情報を前記元の符号化ストリームから取得するフィルタパラメータ取得ステップと、
前記ブロック符号列を復号して前記復号対象となるブロックの復号画像データを取得する画像データ復号ステップと、
前記復号画像データを前記フィルタパラメータに基づいてフィルタリングするフィルタリングステップとを備え、
前記フィルタパラメータ取得ステップは、前記復号対象となるブロックが上辺方向にタイル境界に接するか否かを検査し、前記復号対象となるブロックが上辺方向にタイル境界に接する場合、前記取得フラグを前記元の符号化ストリームから取得しないことを特徴とする受信方法。
【請求項６】
画像が符号化された符号列ストリームを受信して復号する受信プログラムであって、
ピクチャを構成するブロック単位で符号化されたブロック符号列を含む符号列ストリームがパケット化された符号化データを受信する受信ステップと、
受信された前記符号化データをパケット処理して元の符号列ストリームを復元する復元ステップと、
前記ピクチャが、前記ブロック以上の大きさの複数のタイルに分割された分割領域の情報を、前記元の符号化ストリームのピクチャ特性を示すピクチャパラメータセットから取得する領域情報取得ステップと、
復号対象となるブロックのフィルタパラメータを前記復号対象となるブロックに上辺方向に隣接する復号済みのブロックから取得するか否かを示す取得フラグを、前記元の符号化ストリームから取得し、前記取得フラグが取得する旨を示す場合、前記フィルタパラメータを前記上辺方向に隣接する復号済みのブロックから取得し、前記取得フラグが取得しない旨を示す場合、前記フィルタパラメータに関する情報を前記元の符号化ストリームから取得するフィルタパラメータ取得ステップと、
前記ブロック符号列を復号して前記復号対象となるブロックの復号画像データを取得する画像データ復号ステップと、
前記復号画像データを前記フィルタパラメータに基づいてフィルタリングするフィルタリングステップとをコンピュータに実行させ、
前記フィルタパラメータ取得ステップは、前記復号対象となるブロックが上辺方向にタイル境界に接するか否かを検査し、前記復号対象となるブロックが上辺方向にタイル境界に接する場合、前記取得フラグを前記元の符号化ストリームから取得しないことを特徴とする受信プログラム。
【手続補正２】
【補正対象書類名】明細書
【補正対象項目名】０００９
【補正方法】変更
【補正の内容】
【０００９】
ピクチャを構成するブロック単位で符号化されたブロック符号列を含む符号列ストリームを復号して得られたピクチャをフィルタリングする画像復号装置であって、前記ピクチャが、前記ブロック以上の大きさの複数のタイルに分割された分割領域の情報を、前記符号列ストリームのピクチャ特性を示すピクチャパラメータセットから取得する領域情報取得部と、復号対象となるブロックのフィルタパラメータを前記復号対象となるブロックに上辺方向に隣接する復号済みのブロックから取得するか否かを示す取得フラグを、前記符号列ストリームから取得し、前記取得フラグが取得する旨を示す場合、前記フィルタパラメータを前記上辺方向に隣接する復号済みのブロックから取得し、前記取得フラグが取得しない旨を示す場合、前記フィルタパラメータに関する情報を前記符号列ストリームから取得するフィルタパラメータ取得部と、前記ブロック符号列を復号して前記復号対象となるブロックの復号画像データを取得する画像データ復号部と、前記復号画像データを前記フィルタパラメータに基づいてフィルタリングするフィルタリング部とを備え、前記フィルタパラメータ取得部は、前記復号対象となるブロックが上辺方向にタイル境界に接するか否かを検査し、前記復号対象となるブロックが上辺方向にタイル境界に接する場合、前記取得フラグを前記符号列ストリームから取得しないことを特徴とする画像復号装置を提供する。
ピクチャを構成するブロック単位で符号化されたブロック符号列を含む符号列ストリームを復号して得られたピクチャをフィルタリングする画像復号方法であって、前記ピクチャが、前記ブロック以上の大きさの複数のタイルに分割された分割領域の情報を、前記符号列ストリームのピクチャ特性を示すピクチャパラメータセットから取得する領域情報取得ステップと、復号対象となるブロックのフィルタパラメータを前記復号対象となるブロックに上辺方向に隣接する復号済みのブロックから取得するか否かを示す取得フラグを、前記符号列ストリームから取得し、前記取得フラグが取得する旨を示す場合、前記フィルタパラメータを前記上辺方向に隣接する復号済みのブロックから取得し、前記取得フラグが取得しない旨を示す場合、前記フィルタパラメータに関する情報を前記符号列ストリームから取得するフィルタパラメータ取得ステップと、前記ブロック符号列を復号して前記復号対象となるブロックの復号画像データを取得する画像データ復号ステップと、前記復号画像データを前記フィルタパラメータに基づいてフィルタリングするフィルタリングステップとを備え、前記フィルタパラメータ取得ステップは、前記復号対象となるブロックが上辺方向にタイル境界に接するか否かを検査し、前記復号対象となるブロックが上辺方向にタイル境界に接する場合、前記取得フラグを前記符号列ストリームから取得しないことを特徴とする画像復号方法を提供する。
ピクチャを構成するブロック単位で符号化されたブロック符号列を含む符号列ストリームを復号して得られたピクチャをフィルタリングする画像復号プログラムであって、前記ピクチャが、前記ブロック以上の大きさの複数のタイルに分割された分割領域の情報を、前記符号列ストリームのピクチャ特性を示すピクチャパラメータセットから取得する領域情報取得ステップと、復号対象となるブロックのフィルタパラメータを前記復号対象となるブロックに上辺方向に隣接する復号済みのブロックから取得するか否かを示す取得フラグを、前記符号列ストリームから取得し、前記取得フラグが取得する旨を示す場合、前記フィルタパラメータを前記上辺方向に隣接する復号済みのブロックから取得し、前記取得フラグが取得しない旨を示す場合、前記フィルタパラメータに関する情報を前記符号列ストリームから取得するフィルタパラメータ取得ステップと、前記ブロック符号列を復号して前記復号対象となるブロックの復号画像データを取得する画像データ復号ステップと、前記復号画像データを前記フィルタパラメータに基づいてフィルタリングするフィルタリングステップとをコンピュータに実行させ、前記フィルタパラメータ取得ステップは、前記復号対象となるブロックが上辺方向にタイル境界に接するか否かを検査し、前記復号対象となるブロックが上辺方向にタイル境界に接する場合、前記取得フラグを前記符号列ストリームから取得しないことを特徴とする画像復号プログラムを提供する。
画像が符号化された符号列ストリームを受信して復号する受信装置であって、ピクチャを構成するブロック単位で符号化されたブロック符号列を含む符号列ストリームがパケット化された符号化データを受信する受信部と、受信された前記符号化データをパケット処理して元の符号列ストリームを復元する復元部と、前記ピクチャが、前記ブロック以上の大きさの複数のタイルに分割された分割領域の情報を、前記元の符号化ストリームのピクチャ特性を示すピクチャパラメータセットから取得する領域情報取得部と、復号対象となるブロックのフィルタパラメータを前記復号対象となるブロックに上辺方向に隣接する復号済みのブロックから取得するか否かを示す取得フラグを、前記元の符号化ストリームから取得し、前記取得フラグが取得する旨を示す場合、前記フィルタパラメータを前記上辺方向に隣接する復号済みのブロックから取得し、前記取得フラグが取得しない旨を示す場合、前記フィルタパラメータに関する情報を前記元の符号化ストリームから取得するフィルタパラメータ取得部と、前記ブロック符号列を復号して前記復号対象となるブロックの復号画像データを取得する画像データ復号部と、前記復号画像データを前記フィルタパラメータに基づいてフィルタリングするフィルタリング部とを備え、前記フィルタパラメータ取得部は、前記復号対象となるブロックが上辺方向にタイル境界に接するか否かを検査し、前記復号対象となるブロックが上辺方向にタイル境界に接する場合、前記取得フラグを前記元の符号化ストリームから取得しないことを特徴とする受信装置を提供する。
画像が符号化された符号列ストリームを受信して復号する受信方法であって、ピクチャを構成するブロック単位で符号化されたブロック符号列を含む符号列ストリームがパケット化された符号化データを受信する受信ステップと、受信された前記符号化データをパケット処理して元の符号列ストリームを復元する復元ステップと、前記ピクチャが、前記ブロック以上の大きさの複数のタイルに分割された分割領域の情報を、前記元の符号化ストリームのピクチャ特性を示すピクチャパラメータセットから取得する領域情報取得ステップと、復号対象となるブロックのフィルタパラメータを前記復号対象となるブロックに上辺方向に隣接する復号済みのブロックから取得するか否かを示す取得フラグを、前記元の符号化ストリームから取得し、前記取得フラグが取得する旨を示す場合、前記フィルタパラメータを前記上辺方向に隣接する復号済みのブロックから取得し、前記取得フラグが取得しない旨を示す場合、前記フィルタパラメータに関する情報を前記元の符号化ストリームから取得するフィルタパラメータ取得ステップと、前記ブロック符号列を復号して前記復号対象となるブロックの復号画像データを取得する画像データ復号ステップと、前記復号画像データを前記フィルタパラメータに基づいてフィルタリングするフィルタリングステップとを備え、前記フィルタパラメータ取得ステップは、前記復号対象となるブロックが上辺方向にタイル境界に接するか否かを検査し、前記復号対象となるブロックが上辺方向にタイル境界に接する場合、前記取得フラグを前記元の符号化ストリームから取得しないことを特徴とする受信方法を提供する。
画像が符号化された符号列ストリームを受信して復号する受信プログラムであって、ピクチャを構成するブロック単位で符号化されたブロック符号列を含む符号列ストリームがパケット化された符号化データを受信する受信ステップと、受信された前記符号化データをパケット処理して元の符号列ストリームを復元する復元ステップと、前記ピクチャが、前記ブロック以上の大きさの複数のタイルに分割された分割領域の情報を、前記元の符号化ストリームのピクチャ特性を示すピクチャパラメータセットから取得する領域情報取得ステップと、復号対象となるブロックのフィルタパラメータを前記復号対象となるブロックに上辺方向に隣接する復号済みのブロックから取得するか否かを示す取得フラグを、前記元の符号化ストリームから取得し、前記取得フラグが取得する旨を示す場合、前記フィルタパラメータを前記上辺方向に隣接する復号済みのブロックから取得し、前記取得フラグが取得しない旨を示す場合、前記フィルタパラメータに関する情報を前記元の符号化ストリームから取得するフィルタパラメータ取得ステップと、前記ブロック符号列を復号して前記復号対象となるブロックの復号画像データを取得する画像データ復号ステップと、前記復号画像データを前記フィルタパラメータに基づいてフィルタリングするフィルタリングステップとをコンピュータに実行させ、前記フィルタパラメータ取得ステップは、前記復号対象となるブロックが上辺方向にタイル境界に接するか否かを検査し、前記復号対象となるブロックが上辺方向にタイル境界に接する場合、前記取得フラグを前記元の符号化ストリームから取得しないことを特徴とする受信プログラムを提供する。
【手続補正３】
【補正対象書類名】明細書
【補正対象項目名】発明の名称
【補正方法】変更
【補正の内容】
【発明の名称】画像復号装置、画像復号方法、画像復号プログラム、受信装置、受信方法及び受信プログラム